(57)【要約】【課題】個性や楽しさを十分に発揮でき、操作が簡単で、しかも、セキュリティ性の高い錠前式電話システム、錠前式電話装置及び鍵を提供する。【解決手段】錠前式電話システム１００は、錠前式電話装置１０と、鍵８０などとを備え、錠前式電話装置１０は、操作ボタンのない携帯電話装置であり、スピーカ部２１を含む第１のケース１０Ａと、マイク部２２を含む第２のケース１０Ｂと、逆入れ防止用の凸部３１を有し、鍵８０を挿入するための錠部３０などとを備え、鍵８０は、錠前式電話装置１０の内部の通話部を管理するための電話番号情報や暗証情報などの管理情報が、表面及び裏面に設けられた凹凸の有無によって記録されているディンプルキーであり、錠部３０に鍵８０を挿入することによって錠前式電話装置１０を制御する。【選択図】図１
2006013648.tif 000002
【特許請求の範囲】
【請求項１】
音声を発するスピーカ部、音声を集音するマイク部及び音声通信を行う音声通信部を有する通話部と、
前記通話部を管理するための管理情報が記録されている鍵と、
前記鍵を挿入するための錠部と、
前記錠部に挿入された前記鍵の管理情報を読み取る読取部と、
前記読取部が読み取った管理情報に基づいて、前記通話部を制御する制御部と、
を備える錠前式電話システム。
【請求項２】
請求項１に記載の錠前式電話システムにおいて、
前記管理情報は、電話番号情報及び／又は暗証情報を含むこと、
を特徴とする錠前式電話システム。
【請求項３】
請求項１又は請求項２に記載の錠前式電話システムにおいて、
前記制御部は、前記読取部が電話番号情報を読み取ったときには、前記通話部の音声通信部に、その電話番号情報に基づいて相手先に発信させること、
を特徴とする錠前式電話システム。
【請求項４】
請求項１から請求項３までのいずれか１項に記載の錠前式電話システムにおいて、
前記制御部は、前記読取部が暗証情報を読み取ったときには、前記通話部を使用可能な状態にすること、
を特徴とする錠前式電話システム。
【請求項５】
請求項１から請求項４までのいずれか１項に記載の錠前式電話システムにおいて、
前記錠部に挿入された前記鍵が外れないように固定する固定部を備えること、
を特徴とする錠前式電話システム。
【請求項６】
請求項１から請求項５までのいずれか１項に記載の錠前式電話システムにおいて、
前記スピーカ部を含む第１のケースと、
前記マイク部を含む第２のケースとを備え、
前記第１及び第２のケースの配置形態を、通話不可能な形態から通話可能な形態に変化させる形状変化部を備えること、
を特徴とする錠前式電話システム。
【請求項７】
請求項１から請求項６までのいずれか１項に記載の錠前式電話システムにおいて、
前記制御部は、暗証情報が記録されている前記鍵が前記錠部から抜かれ、所定時間を経過したときには、前記通話部を使用不可能な状態にすること、
を特徴とする錠前式電話システム。
【請求項８】
請求項１から請求項７までのいずれか１項に記載の錠前式電話システムにおいて、
前記制御部は、所定時間内であれば、前記読取部に複数の前記鍵を読み取らせること、
を特徴とする錠前式電話システム。
【請求項９】
請求項１から請求項８までのいずれか１項に記載の錠前式電話システムにおいて、
前記管理情報は、前記鍵の表面に設けられた凹凸の有無によって記録されていること、
を特徴とする錠前式電話システム。
【請求項１０】
請求項１から請求項９までのいずれか１項に記載の錠前式電話システムにおいて、
前記管理情報は、前記鍵に貼付又は埋設されたＩＣタグに記録されていること、
を特徴とする錠前式電話システム。
【請求項１１】
請求項１から請求項１０までのいずれか１項に記載の錠前式電話システムにおいて、
前記管理情報は、前記鍵に形成された機械読み取り可能な識別記号又は識別番号によって記録されていること、
を特徴とする錠前式電話システム。
【請求項１２】
音声を発するスピーカ部、音声を集音するマイク部及び音声通信を行う音声通信部を有する通話部と、
前記通話部を管理するための管理情報が記録されている鍵を挿入するための錠部と、
前記錠部に挿入された前記鍵の管理情報を読み取る読取部と、
前記読取部が読み取った管理情報に基づいて、前記通話部を制御する制御部と、
を備える錠前式電話装置。
【請求項１３】
請求項１２に記載の錠前式電話装置に使用する鍵であって、前記管理情報が記録されている鍵。
【発明の詳細な説明】
【技術分野】
【０００１】
本発明は、携帯電話装置などに利用するのに好適な錠前式電話システム、錠前式電話装置及び鍵に関するものである。
【背景技術】
【０００２】
現在、携帯電話装置は、様々なデザインで発売されているが、電話をかける場合には、本体の数字ボタンを押して電話番号を入力するといったように、基本的な操作方法はすべて統一されている。
【０００３】
このような操作方法の標準化は、機種変更をした場合であっても、誰でもすぐに新しい機種を操作できるという大きな利点を有している。
【０００４】
しかし、利便性という観点から離れて考察した場合、この標準化という決まり事は、個性や楽しさを制限するものとなっていた。
【０００５】
また、数字ボタンを押さなくても、様々な簡易操作手段によって電話がかけられるような操作補助機能を有する携帯電話装置（例えば、特許文献１）もあるが、実際には、面倒を嫌がって、それらの機能を常時使用していないことも往々にしてあった。
【０００６】
一方、携帯電話装置のセキュリティ対策は、パスワードや個人照合などによって行われているが、真に完全なものはなかった。
【特許文献１】特開２００４−０４８７９０号公報
【発明の開示】
【発明が解決しようとする課題】
【０００７】
本発明の課題は、個性や楽しさを十分に発揮でき、操作が簡単で、しかも、セキュリティ性の高い錠前式電話システム、錠前式電話装置及び鍵を提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、音声を発するスピーカ部（２１）、音声を集音するマイク部（２２）及び音声通信を行う音声通信部（２４）を有する通話部（２０）と、前記通話部（２０）を管理するための管理情報が記録されている鍵（８０）と、前記鍵（８０）を挿入するための錠部（３０）と、前記錠部（３０）に挿入された前記鍵（８０）の管理情報を読み取る読取部（４０）と、前記読取部（４０）が読み取った管理情報に基づいて、前記通話部（２０）を制御する制御部（５０）と、を備える錠前式電話システムである。
【０００９】
請求項２の発明は、請求項１に記載の錠前式電話システムにおいて、前記管理情報は、電話番号情報及び／又は暗証情報を含むこと、を特徴とする錠前式電話システムである。
【００１０】
請求項３の発明は、請求項１又は請求項２に記載の錠前式電話システムにおいて、前記制御部（５０）は、前記読取部（４０）が電話番号情報を読み取ったときには、前記通話部（２０）の音声通信部（２４）に、その電話番号情報に基づいて相手先に発信させること、を特徴とする錠前式電話システムである。
【００１１】
請求項４の発明は、請求項１から請求項３までのいずれか１項に記載の錠前式電話システムにおいて、前記制御部（５０）は、前記読取部（４０）が暗証情報を読み取ったときには、前記通話部（２０）を使用可能な状態にすること、を特徴とする錠前式電話システムである。
【００１２】
請求項５の発明は、請求項１から請求項４までのいずれか１項に記載の錠前式電話システムにおいて、前記錠部（３０）に挿入された前記鍵（８０）が外れないように固定する固定部（６０）を備えること、を特徴とする錠前式電話システムである。
【００１３】
請求項６の発明は、請求項１から請求項５までのいずれか１項に記載の錠前式電話システムにおいて、前記スピーカ部（２１）を含む第１のケース（１０Ａ）と、前記マイク部（２２）を含む第２のケース（１０Ｂ）とを備え、前記第１及び第２のケース（１０Ａ、１０Ｂ）の配置形態を、通話不可能な形態から通話可能な形態に変化させる形状変化部（７０）を備えること、を特徴とする錠前式電話システムである。
【００１４】
請求項７の発明は、請求項１から請求項６までのいずれか１項に記載の錠前式電話システムにおいて、前記制御部（５０）は、暗証情報が記録されている前記鍵（８０）が前記錠部（３０）から抜かれ、所定時間を経過したときには、前記通話部（２０）を使用不可能な状態にすること、を特徴とする錠前式電話システムである。
【００１５】
請求項８の発明は、請求項１から請求項７までのいずれか１項に記載の錠前式電話システムにおいて、前記制御部（５０）は、所定時間内であれば、前記読取部（４０）に複数の前記鍵（８０）を読み取らせること、を特徴とする錠前式電話システムである。
【００１６】
請求項９の発明は、請求項１から請求項８までのいずれか１項に記載の錠前式電話システムにおいて、前記管理情報は、前記鍵（８０）の表面に設けられた凹凸の有無によって記録されていること、を特徴とする錠前式電話システムである。
【００１７】
請求項１０の発明は、請求項１から請求項９までのいずれか１項に記載の錠前式電話システムにおいて、前記管理情報は、前記鍵（８０−２）に貼付又は埋設されたＩＣタグ（８２）に記録されていること、を特徴とする錠前式電話システムである。
【００１８】
請求項１１の発明は、請求項１から請求項１０までのいずれか１項に記載の錠前式電話システムにおいて、前記管理情報は、前記鍵に形成された機械読み取り可能な識別記号又は識別番号によって記録されていること、を特徴とする錠前式電話システムである。
【００１９】
請求項１２の発明は、音声を発するスピーカ部（２１）、音声を集音するマイク部（２２）及び音声通信を行う音声通信部（２４）を有する通話部（２０）と、前記通話部（２０）を管理するための管理情報が記録されている鍵（８０）を挿入するための錠部（３０）と、前記錠部（３０）に挿入された前記鍵（８０）の管理情報を読み取る読取部（４０）と、前記読取部（４０）が読み取った管理情報に基づいて、前記通話部（２０）を制御する制御部（５０）と、を備える錠前式電話装置である。
【００２０】
請求項１３の発明は、請求項１２に記載の錠前式電話装置（１０）に使用する鍵であって、前記管理情報が記録されている鍵である。
【発明の効果】
【００２１】
本発明によれば、管理情報が記録されている鍵によって通話部が制御されるので、使用者にとっては、鍵を挿入するだけでよく、操作が簡単である。
【００２２】
また、従来の電話装置の数字ボタンやダイヤルなどの操作部が必要ないので、形状や外観を自由に設計できるようになり、個性や楽しさを十分に発揮できる。
【００２３】
さらに、鍵がなければ操作不可能であるので、漏洩性を有するパスワードなどと比較して、セキュリティ性が高い。
【発明を実施するための最良の形態】
【００２４】
本発明は、個性や楽しさを十分に発揮でき、操作が簡単で、しかも、セキュリティ性の高い錠前式電話システム、錠前式電話装置及び鍵を提供するという目的を、錠部を有する錠前式電話装置に、電話番号情報や暗証情報を記録した鍵を挿入して通話部を制御することにより実現する。
【実施例１】
【００２５】
以下、図面等を参照して、本発明の実施例について、さらに詳しく説明する。
図１は、本発明による錠前式電話システムの実施例１を示す図である。
実施例１による錠前式電話システム１００は、錠前式電話装置１０と、鍵８０などとを備える。
錠前式電話装置１０は、操作ボタンのない携帯電話装置であり（詳細は後述）、スピーカ部２１を含む第１のケース１０Ａと、マイク部２２を含む第２のケース１０Ｂと、逆入れ防止用の凸部３１を有する錠部３０などとを備え、図１（Ａ）に示すような装置本体が、図１（Ｂ）に示すようなキリンの形状のものに収納されている（キリンの頭及び首：第１のケース１０Ａ、キリンの胴及び脚：第２のケース１０Ｂ）。
【００２６】
鍵８０は、錠前式電話装置１０の内部の通話部を管理するための管理情報が、表面及び裏面に設けられた凹凸の有無によって記録されているディンプルキーであり、形状は、一般的な家の扉に使用するものと変わりなく、裏面の中央には、逆入れ防止用の溝８１が刻まれている。
【００２７】
また、鍵８０は、本実施例では２つあり、１つは、管理情報として相手先の電話番号情報が記録されている番号キー８０Ａであり、もう１つは、管理情報として固有の暗証情報が記録されているマスターキー８０Ｂである。
【００２８】
次に、図１及び図２を参照しながら、実施例１の錠前式電話装置１０をさらに詳しく説明する。
図２は、実施例１の錠前式電話装置１０を示すブロック図である。なお、図中において、実線は、制御系を示しており、点線は、駆動系を示している。
錠前式電話装置１０は、通話部２０と、錠部３０と、読取部４０と、制御部５０と、固定部６０と、形状変化部７０とを備える。
通話部２０は、相手先の音声を発するスピーカ部２１と、発信元の音声を集音するマイク部２２と、無線信号の送受信を行うアンテナ部２３と、無線信号を変復調して音声通信を行う音声通信部２４とを備える。
【００２９】
錠部３０は、鍵８０を挿入するための部分である。
読取部４０は、錠部３０に挿入された鍵８０の管理情報を読み取る部分である（読取方法の詳細は後述）。
【００３０】
制御部５０は、読取部４０が読み取った管理情報に基づいて、通話部２０を制御する部分であり、所定時間をカウントするタイマーを有する。
このタイマーは、錠部３０に挿入されたマスターキー８０Ｂが抜かれると、発信中又は通信中以外は起動し、再度、マスターキー８０Ｂが挿入されると停止する。タイマーが停止されない限り、制御部５０は、所定時間後、例えば、１分後に通話部２０を強制的に使用不可能な状態にする。
【００３１】
固定部６０は、錠部３０に挿入された鍵８０が外れないように固定する部分である（固定方法の詳細は後述）。
【００３２】
形状変化部７０は、錠部３０に挿入された鍵８０が回転したときに、第１及び第２のケース１０Ａ、１０Ｂの配置形態を、通話不可能な形態から通話可能な形態に変化させる部分であり、具体的には、使用者が鍵８０を９０°回転すると、内部のロック機構が外れ、第１のケース１０Ａがバネ機構によって飛び出すようになっている。
また、形状変化部７０は、第１のケース１０Ａが、通常の位置にあるか否かを検出する位置検出センサを有する。
【００３３】
次に、鍵８０の管理情報の読取方法について説明する。
図３は、鍵８０及び錠部３０を示す図であり、図３（Ａ）は、鍵８０の表面を示す図、図３（Ｂ）は、鍵８０の表面及び裏面の先端付近を示す図、図３（Ｃ）は、錠部３０の正面図及び断面図、図３（Ｄ）は、鍵８０及び錠部３０の断面図である。
図３（Ａ）に示すように、鍵８０の表面には、３つのラインＡ、Ｂ、Ｃがあり、鍵８０の裏面には、２つのラインＤ、Ｅがある（裏面は、逆入れ防止用の溝があるため２ライン）。
ラインＡ、Ｃ、Ｄ、Ｅには、電話番号情報や暗証情報を記録するための情報用ディンプルが刻まれており、ラインＢには、いずれの鍵８０にも、１２個のビットカウント用ディンプルが刻まれている。
【００３４】
したがって、鍵８０には、両面で、１２行４列の情報用ディンプルが刻まれており、１行の４つのディンプルを一組として、４ビットデータを１２個記録し、１２桁までの情報を記録することができる。
【００３５】
図３（Ｂ）に示すように、例えば、１行目は、「○○−○」というディンプルとなり、これは、「１１０１」という２進数情報になる。
「１１０１」は、１０進数では１３、１６進数ではＤになり、これに対応する数字や記号に変換される。
４ビットデータでは、１６種類の記号を使用することができるので、１０種類のアラビア数字を除いた６種の記号は、マスターキー８０ＢのＩＤなどに利用する。
【００３６】
一方、錠部３０には、図３（Ｃ）に示すように、５つのビットカウント用スイッチＡ〜Ｅ（読取部）がある。
鍵８０のラインＢには、必ず１２個のディンプルが刻まれているので、スイッチＢは、いずれの鍵８０を挿入した場合であっても、１２回上下する。
そして、スイッチＢが押されて戻るタイミングで、他のスイッチＡ、Ｃ、Ｄ、Ｅの状態を検出し、スイッチが押されていれば０、押されていなければ１のデータとして認識する。
【００３７】
次に、鍵８０の固定方法について説明する。
図３（Ｄ）に示すように、錠部３０の天井には、鍵８０のラインＢのディンプルにはまるような凸部６１ａを有するロックプレート（固定部）６１がある。
錠部３０に鍵８０を完全に挿入すると、ロック機構が外れ、バネ機構によってロックプレート６１が下降して鍵８０が固定され、また、鍵８０を９０°回転すると、ギア機構によってロックプレート６１が上昇して鍵８０が抜けるようになる。
【００３８】
上述した錠前式電話装置１０と鍵８０とを入手する場合には、例えば、使用者は、カタログにより好みの鍵を選択し、通信販売で、記録したい電話番号とともに発注する。
受注元は、暗証情報を記録した錠前式電話装置１０と、電話番号情報のディンプルを刻んだ番号キー８０Ａと、暗証情報のディンプルを刻んだマスターキー８０Ｂとを出荷する。
【００３９】
次に、図２を参照しながら、図４及び図５を用い、電話のかけ方と電話のうけ方について、制御部５０の制御の流れに沿って説明する。
図４は、電話をかける場合のフローチャートであり、図５は、電話をうける場合のフローチャートである。
（電話をかける場合：図４参照）
（１）初期状態では、通話部２０は、発着信不可能（使用不可能）な状態である［Ｓ１０１］。
（２）読取部４０の出力結果によって、マスターキー８０Ｂが挿入されたか否かを判断し［Ｓ１０２］、マスターキー８０Ｂが挿入された場合には、通話部２０を発着信可能（使用可能）な状態にし［Ｓ１０３］、マスターキー８０Ｂが挿入されていない場合には、Ｓ１０１に戻る。
なお、錠前式電話装置１０は、マスターキー８０Ｂが挿入された状態で使用されるので、通常は、この状態から制御が開始する。
【００４０】
（３）読取部４０の出力結果によって、マスターキー８０Ｂが抜かれたか否かを判断し［Ｓ１０４］、マスターキー８０Ｂが抜かれた場合には、タイマーを起動し［Ｓ１０５］、マスターキー８０Ｂが抜かれていない場合には、Ｓ１０３に戻る。
マスターキー８０Ｂが抜かれた場合には、上述の通り、第１のケース１０Ａが飛び出しており、また、タイマーが停止されない限り、通話部２０は、１分後に使用不可能な状態となる。
（４）読取部４０の出力結果によって、番号キー８０Ａが挿入されたか否かを判断し［Ｓ１０６］、番号キー８０Ａが挿入された場合には、Ｓ１０７に進み、番号キー８０Ａが挿入されていない場合には、Ｓ１０６に戻る。
【００４１】
（５）番号キー８０Ａの電話番号情報が正常か否かを判断し［Ｓ１０７］、正常であれば、タイマーを停止して［Ｓ１０８］、通話部２０の音声通信部２４に、その電話番号情報に基づいて相手先に発信させ［Ｓ１０９］、異常であれば、エラー音声を発生し［Ｓ１１０］、Ｓ１０６に戻る。
（６）相手先が電話にでれば、通話が開始し、通話中となる［Ｓ１１１］。
【００４２】
（７）位置検出センサによって、第１のケース１０Ａが押し戻されたか否かを判断し［Ｓ１１２］、押し戻された場合には、第１のケース１０Ａが定位置でロックされ、通話を終了し［Ｓ１１３］、押し戻されていない場合には、Ｓ１１１に戻って通話を継続する。
なお、相手先に発信中の状態であっても、第１のケース１０Ａを押し戻せば、通信が遮断される。
【００４３】
（電話をうける場合：図５参照）
相手先から着信するには、錠前式電話装置１０にマスターキー８０Ｂが挿入されていることが前提であるので、マスターキー８０Ｂが挿入されている状態から説明する。
（１）通話部２０は、発着信可能な状態である［Ｓ２０１］。
（２）相手先から着信する［Ｓ２０２］。
（３）着信音を起動する［Ｓ２０３］。
【００４４】
（４）読取部４０の出力結果によって、マスターキー８０Ｂが抜かれたか否かを判断し［Ｓ２０４］、マスターキー８０Ｂが抜かれた場合には、通話中となり［Ｓ２０５］、マスターキー８０Ｂが抜かれていない場合には、Ｓ２０３に戻る。
（５）位置検出センサによって、第１のケース１０Ａが押し戻されたか否かを判断し［Ｓ２０６］、押し戻された場合には、第１のケース１０Ａが定位置でロックされ、通話を終了し［Ｓ２０７］、押し戻されていない場合には、Ｓ２０５に戻って通話を継続する。
【００４５】
電話をかける場合、電話をうける場合ともに、制御部５０は、通話終了後（Ｓ１１３、Ｓ２０７）にタイマーを起動する。このタイマーによって、通話部２０は、１分後に使用不可能な状態となるが、マスターキー８０Ｂを挿入することによってタイマーを停止でき、番号キー８０Ａを挿入することによって、再度、電話をかけることもできる。
また、通話中は、番号キー８０Ａやマスターキー８０Ｂが、錠前式電話装置１０に挿入されている必要はなく、番号キー８０Ａやマスターキー８０Ｂを抜き差ししても、動作には影響しない。
【００４６】
このように、実施例１によれば、以下のような効果がある。
（１）鍵８０によって通話部２０が制御されるので、使用者は、鍵８０を挿入するだけの簡単な操作で、セキュリティロックの解除をしたり、電話をかけたりすることができる。
（２）従来の電話装置の数字ボタンやダイヤルなどの操作部が必要ないので、形状や外観を自由に設計できるようになり、動きのあるものや、デザイン性、キャラクター性のあるものにすることによって、コレクション性やファッション性を高め、商品価値も高めることができる。
【００４７】
（３）操作部がないので、通話中に、番号入力を必要とするようなサービスは利用できないが、通話のみに特化したシンプルさを有するので、老若男女問わず、扱いやすい。
（４）鍵８０は、ディンプルが刻まれていれば、形状は自由なので、素材や形状、色、模様など様々なバリエーションにすることができ、例えば、鍵８０の見た目で、その鍵８０が誰の電話番号かを特定できるようにしたり、鍵束としたときのおもしろさを表現したりすることができる。
【００４８】
（５）マスターキー８０Ｂがなければ操作不可能であるので、錠前式電話装置１０を違法に取得したとしても、購入時の保証書にあるＩＤがなければ複製はできず、漏洩性を有するパスワードなどと比較して、セキュリティ性が高い。
（６）鍵８０を固定する固定部６０を備えるので、マスターキー８０Ｂを挿入したまま、錠前式電話装置１０をペンダントのように首からさげることができ、また、キーホルダーなどによって腰にさげることもでき、個性や楽しさを十分に発揮できる。
【００４９】
（７）自宅などの必要な番号キー８０Ａしか作製しないことで、子供に渡しても無駄に使用されることがない。
（８）仕様、価格、サイズ、ロット数などを考慮すると、市場的には、ＰＨＳ（ｐｅｒｓｏｎａｌ  ｈａｎｄｙｐｈｏｎｅ  ｓｙｓｔｅｍ）に最も好適である。
【実施例２】
【００５０】
図６は、本発明による錠前式電話システムの実施例２を示す図である。
なお、前述した実施例１と同様な機能を果たす部分には、同一の符号又は末尾に統一した符号を付して、重複する説明や図面を適宜省略する。
実施例２による錠前式電話システム１００−２は、実施例１のディンプルを利用したものとは異なり、ＲＦＩＤ（ｒａｄｉｏ  ｆｒｅｑｕｅｎｃｙ  ｉｄｅｎｔｉｆｉｃａｔｉｏｎ）技術を利用したＩＣタグを用いたものである。
図６（Ａ）に示すように、錠前式電話装置１０−２には、内部に読取部としての受信装置が設けられ、図６（Ｂ）に示すように、鍵８０−２には、ロック用のツメがかかる切り込み８１−２と、ＩＣタグ８２とが設けられ、そのＩＣタグ８２に、電話番号情報や暗証情報が記録されている。
【００５１】
ＩＣタグ８２は、鍵８０−２に貼付又は埋設された近接型のＩＣタグであり、ＩＣチップと小型アンテナとを備える。
また、ＩＣタグ８２は、錠前式電話システム１００−２の内部の受信装置に接近すると、受信装置から無線供給される起電力にて起動し、受信装置に対して内部の情報を無線にて発信し、受信装置は、ＩＣタグ８２からの情報を取得する。
【００５２】
このように、実施例２によれば、ＩＣタグ８２を用いているので、実施例１と比較して、鍵８０−２が小型化でき、形状の自由度も高く、しかも、セキュリティ性が高い。
【００５３】
また、ＩＣタグ８２は、多くの情報を記録できるので、課金などに必要な電話番号や、複製不可能なＩＤなどの個別情報を、電話側ではなく、鍵側に持たせることができる。
したがって、使用者は、鍵側の管理情報に基づいて契約をすることにより、例えば、図６（Ｃ）に示すように、面倒な手続きなしで自由に機種交換ができ（１０−２Ａ、１０−２Ｂ）、また、バッテリー切れなどで他人の錠前式電話装置１０−２Ｃを借りた場合でも、金銭的問題点が発生しない利点があり、さらに、キャツシュレスの公衆電話１０−２Ｄのような運用も可能である、という新たな利便性を有する。
【００５４】
（変形例）
以上説明した実施例に限定されることなく、種々の変形や変更が可能であって、それらも本発明の均等の範囲内である。
（１）図７は、錠前式電話装置の形状の変形例を示す図である。例えば、形状は、図７（Ａ）に示すように、南京錠の形状であってもよく、図７（Ｂ）に示すように、電話の持ち手のような形状であってもよい。
南京錠の場合は、マスターキー８０Ｂ−３を挿入すると、フレキシブルな上部の棒１０Ａ−３が外れるようになっている。電話の持ち手の場合は、マスターキー８０Ｂ−４を挿入すると、使用可能な状態となる。
【００５５】
（２）実施例１のディンプルの仕組みは、公開するようにしてもよい。すべてのディンプルの配置可能位置に、あらかじめディンプルを刻んだ鍵を使用者に渡し、使用者は、専用のチップを接着装着することで、ディンプルを埋めて、各情報を鍵に記録する。このようにすれば、自作する楽しみがあり、予備の合鍵も複製でき、ベースの鍵を流用することもできる。
【００５６】
（３）実施例１の番号キー８０Ａは、１２桁の例で説明したが、ワールドコールのように、電話番号の前に所定の番号を入力するようなサービスを利用したい場合には、３０秒以内であれば、読取部４０に複数の番号キーを読み取らせるようにしてもよい。このようにすれば、最初の番号キーを挿入した後に、２本目の番号キーを挿入することができ、例えば、ワールドコールと国番号とが刻まれた番号キーの後に、相手先の電話番号が刻まれた番号キーを挿入することによって国際通話をすることができる。
【００５７】
（４）無料通話が可能な１１０番、１１９番、サービスセンター直通などの番号キーは、標準付属品としてもよく、また、ＧＰＳ（ｇｌｏｂａｌ  ｐｏｓｉｔｉｏｎｉｎｇ  ｓｙｓｔｅｍ）などの位置情報を得るためのキーや、ＳＯＳを警備会社に発信するためのキーなどの特殊な操作を可能とするキーを別途作製してもよい。
【００５８】
（５）管理情報は、ディンプルやＩＣタグに記録する例で説明したが、機械読み取り可能なバーコード（識別記号）や、数字（識別番号）によって記録し、それをバーコードリーダや、ＯＣＲ（ｏｐｔｉｃａｌ  ｃｈａｒａｃｔｅｒ  ｒｅａｄｅｒ）などの読取装置で読み取るようにしてもよい。
【００５９】
（６）錠前式電話装置や鍵をそれぞれ単体で用いてもよい。例えば、単体で販売すれば、組み合わせが自由であり、使用者は、商品の選択の幅がふえる。
【００６０】
（７）固定部や形状変化部は、ギア機構やバネ機構の機械的なものの例で説明したが、モータやセンサなどを用いて、電気的に駆動制御してもよい。
【図面の簡単な説明】
【００６１】
【図１】本発明による錠前式電話システムの実施例１を示す図である。
【図２】実施例１の錠前式電話装置１０を示すブロック図である。
【図３】鍵８０及び錠部３０を示す図である。
【図４】電話をかける場合のフローチャートである。
【図５】電話をうける場合のフローチャートである。
【図６】本発明による錠前式電話システムの実施例２を示す図である。
【図７】錠前式電話装置の形状の変形例を示す図である。
【符号の説明】
【００６２】
１０、１０−２  錠前式電話装置
１０Ａ  第１のケース
１０Ｂ  第２のケース
２０  通話部
２１  スピーカ部
２２  マイク部
２３  アンテナ部
２４  音声通信部
３０  錠部
３１  凸部
４０  読取部
５０  制御部
６０  固定部
６１  ロックプレート
６１ａ  凸部
７０  形状変化部
８０、８０−２  鍵
８０Ａ、８０Ａ−２  番号キー
８０Ｂ、８０Ｂ−２  マスターキー
８１  溝
８１−２  切り込み
８２  ＩＣタグ
１００、１００−２  錠前式電話システム
【図１】
2006013648.tif 000003
【図２】
2006013648.tif 000004
【図３】
2006013648.tif 000005
【図４】
2006013648.tif 000006
【図５】
2006013648.tif 000007
【図６】
2006013648.tif 000008
【図７】
2006013648.tif 000009